(57)【特許請求の範囲】
【請求項１】
キャビネットラックの幅方向に対して平行に向けられる幅方向面と前記キャビネットラックの奥行方向に対して平行に向けられる奥行方向面とを含む少なくとも一対の鉛直方向アングルが対向して設置されている前記キャビネットラック内にユニットを取付けるためのユニット取付装置において、
前記鉛直方向アングルの前記奥行方向面に固定するための第一の固定部分を備えていて前記キャビネットラックの奥行方向に対して平行に向けられる奥行方向部分と、
前記奥行方向部分から該奥行方向部分に対して垂直に延びていて前記ユニットの前面に固定するための第二の固定部分を備えた垂直延長部と、
前記鉛直方向アングルの前記奥行方向面に設けられる角部に係止するための係止部とを具備し、
該係止部は前記垂直延長部とは反対方向に向かって前記奥行方向部分から延びていて鉛直方向に或る程度の高さを有しており、
前記奥行方向部分を前記第一の固定部分において前記鉛直方向アングルの前記奥行方向面に固定して前記垂直延長部を前記第二の固定部分において前記ユニットの前面に固定して前記係止部を前記鉛直方向アングルの前記角部に係止することにより、前記キャビネットラック内において前記ユニットを前記鉛直方向アングルの前記幅方向面と前記垂直延長部との間の距離だけ前記キャビネットラックの奥行方向にずらして取付けられるようにしたユニット取付装置。
【請求項２】
前記奥行方向部分の前記第一の固定部分および前記垂直延長部の前記第二の固定部分の少なくとも一方に少なくとも一つの孔が形成されている請求項１に記載のユニット取付装置。
【請求項３】
前記奥行方向部分の固定部分に少なくとも一つの孔が形成されると共に、前記垂直延長部の固定部分に所定間隔毎の孔が形成されている請求項１に記載のユニット取付装置。
【請求項４】
キャビネットラックの幅方向に対して平行に向けられる幅方向面と前記キャビネットラックの奥行方向に対して平行に向けられる奥行方向面とを含む少なくとも一対の鉛直方向アングルが対向して設置されている前記キャビネットラック内にユニットを取付けるためのユニット取付方法において、
前記キャビネットラックの奥行方向に対して平行に向けられる奥行方向部分を該奥行方向部分の第一の固定部分において前記鉛直方向アングルの前記奥行方向面に固定し、
前記奥行方向部分から該奥行方向部分に対して垂直に延びる垂直延長部を該垂直延長部の第二の固定部分において前記ユニットの前面に固定し、
前記垂直延長部とは反対方向に向かって前記奥行方向部分から延びていて鉛直方向に或る程度の高さを有する係止部を前記鉛直方向アングルの前記奥行方向面に設けられる角部に係止させ、
それにより、前記キャビネットラック内において前記ユニットを前記鉛直方向アングルの前記幅方向面と前記垂直延長部との間の距離だけ前記キャビネットラックの奥行方向にずらして取付けられるようにしたユニット取付方法。
【請求項５】
前記奥行方向部分の前記第一の固定部分および前記垂直延長部の前記第二の固定部分の少なくとも一方に少なくとも一つの孔が形成されている請求項４に記載のユニット取付方法。
【請求項６】
前記奥行方向部分の固定部分に少なくとも一つの孔が形成されると共に、前記垂直延長部の固定部分に所定間隔毎の孔が形成されている請求項４に記載のユニット取付方法。
【発明の詳細な説明】
【０００１】
【発明の属する技術分野】
本発明はユニット、例えば電子機器をキャビネットラックに取付けるためのユニット取付装置およびユニット取付方法に関する。
【０００２】
【従来の技術】
図５は従来技術におけるキャビネットラックの斜視図である。図５に示すようにキャビネットラック１００は互いに平行に配置された二対の横材１３と、互いに平行に配置された二対の桁材１４と、互いに平行に配置された二対の直立材１５とから構成される直方体形状の枠体１２を備えている。このようなキャビネットラック１００はＪＩＳ規格（ＪＩＳ  Ｃ６０１０−２（付属書０））またはＥＩＡ規格（ＡＮＳＩ／ＥＩＡ−３１０−Ｄ）などに定められている。図示されるように横材１３には所定間隔毎に複数の孔が形成されている。
【０００３】
キャビネットラック１００はキャビネット（図示しない）内に配置されており、キャビネットラック１００の前面１８に対応するキャビネットの前面には扉（図示しない）が設けられている。図５においては、キャビネットラック１００の前面１８から後面１９に向かってユニットを挿入するようになっている。図示されるように、鉛直方向を向けられた鉛直方向アングル２０が横材１３の孔に例えばネジ留め作用により固定されている。図７は従来技術におけるキャビネットラックの断面図である。図５においては二つの鉛直方向アングル２０のみを示しているが、キャビネットラック１００の前面１８に対して右方にも二つの鉛直方向アングル２０が固定されている。すなわち、キャビネットラック１００の前面１８側および後面１９側にそれぞれ一対の鉛直方向アングル２０が設置されている。図７に示すように、これら二対の鉛直方向アングル２０は、取付けるべきユニットの形状に対応する矩形をなすように例えばネジ４４により横材１３に配置されている。
【０００４】
図６は従来技術におけるキャビネットラックの鉛直方向アングルの斜視図である。鉛直方向アングル２０はキャビネットラック１００の前面１８に対面する幅方向面２１とこの幅方向面２１に対して垂直でかつキャビネットラック１００の奥行方向に延びる奥行方向面２２とを有している。図示されるように、鉛直方向アングル２０の幅方向面２１と奥行方向面２２には、複数の孔２８、２９が所定間隔をあけてそれぞれ形成されている。
【０００５】
このキャビネットラック１００内にユニット５０、例えばコンピュータなどの電子機器を取付けるときに、幅方向面２１の孔２８を介してユニット５０のユニット前面５１をネジ留め作用により幅方向面２１に固定する。
【０００６】
当然のことながら、ユニット５０の寸法は単一ではなく、ユニットの種類、規格などに応じて異なる。例えばＥＩＡ規格（インチピッチ）のユニットの場合には前面の寸法は約０．４ｍ（１９インチ）に統一されているが、奥行の寸法はユニットの種類などに応じて異なる。従って、鉛直方向アングルをユニットの奥行に対応するように前後方向に移動させて上方および下方の横材に例えばネジ４４により固定する。
【０００７】
次いで、ユニットを鉛直方向アングルに取付ける。キャビネットラック１００の奥行に対して奥行が短いユニット５０をキャビネットラック１００内に取付ける場合にはキャビネットラック１００の前面１８側または後面１９側のどちらかに位置する一対の鉛直方向アングル２０のみにユニット５０を取付ける。また、キャビネットラック１００の奥行に対して奥行が長いユニットかまたは比較的重量のあるユニット５０を取付ける場合にはキャビネットラック１００内の二対の鉛直方向アングル２０全てにユニット５０を取付ける。なお、孔の間隔に関しても二つの規格、すなわちＪＩＳ規格（ミリピッチ）とＥＩＡ規格（インチピッチ）が存在している。
【０００８】
【発明が解決しようとする課題】
しかしながら、比較的重量があって奥行の異なる複数のユニットを混載させて取付ける場合には、奥行が長い方のユニットに合わせて鉛直方向アングル２０を固定した後に、このユニットを二対の鉛直方向アングル２０に固定できるが、奥行が短い方のユニットは前面１８側または後面１９側の一対の鉛直方向アングル２０のみしか固定することができない。この場合には、奥行が短い方のユニットが固定された鉛直方向アングル２０がユニットの重量によって過度の負荷応力がかかり、鉛直方向アングル２０が破損してユニットが滑落する可能性がある。また、この場合に、奥行が短いユニットがその前面に端子またはケーブルを備えているときには、端子またはケーブルが前面側に突出するので、キャビネットの扉が閉鎖しなくなる可能性がある。
【０００９】
特開２００１−０９４２７９号公報には、ユニット、例えばコンピュータなどの電子機器をキャビネットラックに取付けるための支持金具の取付構造が開示されている。特開２００１−０９４２７９号公報においては、キャビネット内における両側面の前方および後方に一対の鉛直方向アングルが設置されており、支持金具がユニットを設置する支持部とアングルに固定するための固定部とを備えており、固定部は摺動可能な可動部を備えていてこの可動部が摺動することによりアングルに固定するようにした支持金具を開示している。
【００１０】
特開２００１−０９４２７９号公報に記載の支持金具を使用することにより、ユニットの位置を鉛直方向に調節することができるので高さの異なるユニットを取付けるのが容易になるが、ユニットを奥行方向（後方）に位置決めすることはできない。従って、特開２００１−０９４２７９号公報に記載の支持金具および従来技術によって前述した問題を解決することができない。
【００１１】
それゆえ、本発明は、ユニットをキャビネットラックに取付ける際に、ユニットをキャビネットラックの奥行方向にずらして取付けられるようにしたユニット取付装置およびユニット取付方法を提供することを目的とする。
【００１２】
【課題を解決するための手段】
前述した目的を達成するために請求項１に記載の発明によれば、キャビネットラックの幅方向に対して平行に向けられる幅方向面と前記キャビネットラックの奥行方向に対して平行に向けられる奥行方向面とを含む少なくとも一対の鉛直方向アングルが対向して設置されている前記キャビネットラック内にユニットを取付けるためのユニット取付装置において、前記鉛直方向アングルの前記奥行方向面に固定するための第一の固定部分を備えていて前記キャビネットラックの奥行方向に対して平行に向けられる奥行方向部分と、前記奥行方向部分から該奥行方向部分に対して垂直に延びていて前記ユニットの前面に固定するための第二の固定部分を備えた垂直延長部と、前記鉛直方向アングルに係止するための係止部とを具備し、前記奥行方向部分を前記第一の固定部分において前記鉛直方向アングルの前記奥行方向面に固定して前記垂直延長部を前記第二の固定部分において前記ユニットの前面に固定して前記係止部を前記鉛直方向アングルに係止することにより、前記キャビネットラック内において前記ユニットを前記鉛直方向アングルの前記幅方向面と前記垂直延長部との間の距離だけ前記キャビネットラックの奥行方向にずらして取付けられるようにしたユニット取付装置が提供される。
【００１３】
すなわち請求項１に記載の発明によって、ユニットをキャビネットラックに取付ける際に、ユニットをキャビネットラックの奥行方向、例えば後方にずらして取付けられるようになる。これにより、前面に端子またはケーブルを備えたユニットを取付ける場合に、このユニットを後面側にずらして取付けられるので、キャビネットラックを内部に含むキャビネットの扉を容易に閉鎖することができる。また、奥行が異なっていて比較的重量のある複数のユニットを取付ける場合に、奥行の短いユニットもユニット取付装置を介して二対の鉛直方向アングルに固定することができる。従って、特定の鉛直方向アングルが過度の負荷により破損するのを妨げることができる。
【００１４】
請求項２に記載の発明によれば、前記奥行方向部分の前記第一の固定部分および前記垂直延長部の前記第二の固定部分の少なくとも一方に少なくとも一つの孔が形成されている。
すなわち請求項２に記載の発明によって、これら孔を用いて例えばネジ留めすることにより、ユニットをユニット取付装置に容易に固定することができる。複数の孔を形成することにより固定作用をさらに高めることもできる。
請求項３に記載の発明によれば、前記奥行方向部分の固定部分に少なくとも一つの孔が形成されると共に、前記垂直延長部の固定部分に所定間隔毎の孔が形成されている。
すなわち請求項３に記載の発明によって、一つのユニット取付装置によって複数のユニットを取付けることができる。
【００１５】
請求項４に記載の発明によれば、キャビネットラックの幅方向に対して平行に向けられる幅方向面と前記キャビネットラックの奥行方向に対して平行に向けられる奥行方向面とを含む少なくとも一対の鉛直方向アングルが対向して設置されている前記キャビネットラック内にユニットを取付けるためのユニット取付方法において、前記キャビネットラックの奥行方向に対して平行に向けられる奥行方向部分を該奥行方向部分の第一の固定部分において前記鉛直方向アングルの前記奥行方向面に固定し、前記奥行方向部分から該奥行方向部分に対して垂直に延びる垂直延長部を該垂直延長部の第二の固定部分において前記ユニットの前面に固定し、係止部を前記鉛直方向アングルに係止させ、それにより、前記キャビネットラック内において前記ユニットを前記鉛直方向アングルの前記幅方向面と前記垂直延長部との間の距離だけ前記キャビネットラックの奥行方向にずらして取付けられるようにしたユニット取付方法が提供される。
【００１６】
すなわち請求項４に記載の発明によって、ユニットをキャビネットラックに取付ける際に、ユニットをキャビネットラックの奥行方向、例えば後方にずらして取付けられるようになる。これにより、前面に端子またはケーブルを備えたユニットを取付ける場合に、このユニットを後面側にずらして取付けられるので、キャビネットラックを内部に含むキャビネットの扉を容易に閉鎖することができる。また、奥行が異なっていて比較的重量のある複数のユニットを取付ける場合に、奥行の短いユニットもユニット取付装置を介して二対の鉛直方向アングルに固定することができる。従って、特定の鉛直方向アングルが過度の負荷により破損するのを妨げることができる。
【００１７】
請求項５に記載の発明によれば、前記奥行方向部分の前記第一の固定部分および前記垂直延長部の前記第二の固定部分の少なくとも一方に少なくとも一つの孔が形成されている。
すなわち請求項５に記載の発明によって、これら孔を用いて例えばネジ留めすることにより、ユニットをユニット取付装置に容易に固定することができる。複数の孔を形成することにより固定作用をさらに高めることもできる。
請求項６に記載の発明によれば、前記奥行方向部分の固定部分に少なくとも一つの孔が形成されると共に、前記垂直延長部の固定部分に所定間隔毎の孔が形成されている。
すなわち請求項６に記載の発明によって、一つのユニット取付装置によって複数のユニットを取付けることができる。
【００１８】
【発明の実施の形態】
以下、添付図面を参照して本発明の実施形態を説明する。これら図面において同一の部材には同一の参照符号が付けられている。
図１は本発明の実施形態に基づくユニット取付装置を組み入れたキャビネットラックの斜視図である。図１に示すキャビネットラック１００およびキャビネットラック１００の枠体１２を構成する部材ならびに鉛直方向アングル２０については従来技術と同様であるので説明を省略する。図１においては一つのキャビネットラック１００内に奥行の短いユニット５０と奥行の長いユニット６０とが混載されている。短いユニット５０はユニット５０の前面側に端子またはケーブルなどを備えている。図１に示されるように、鉛直方向アングル２０をユニット６０に応じてキャビネットラック１００内において移動させて固定した後に、ユニット６０をこれら鉛直方向アングル２０に固定する。また、ユニット５０はキャビネットラック１００の後面１９側においては一対の鉛直方向アングル２０に直接的に固定されているが、前面１８側においては本発明のユニット取付装置３０を介して一対の鉛直方向アングル２０に固定されている。
【００１９】
図２は本発明の実施形態に基づくユニット取付装置の斜視図である。図２に示されるユニット取付装置３０はキャビネットラック１００の奥行方向に対して平行に向けられるプレート部３１とプレート部３１の一端においてプレート部３１から垂直方向に延びる垂直延長部３２とを備えている。これらプレート部３１および垂直延長部３２は固定部分３８、３９をそれぞれ備えており、本発明におけるユニット取付装置３０の固定部分３８、３９は、プレート部３１および垂直延長部３２に形成された少なくとも一つの孔である。さらに、図２に示すユニット取付装置３０は垂直延長部３２とは反対方向に延びる係止部３３も備えている。
【００２０】
図３は本発明の実施形態に基づくユニット取付装置をキャビネットラックの鉛直方向アングルに組み付けた状態を示す斜視図である。ユニット取付装置３０のプレート部３１に形成された孔３８と鉛直方向アングル２０に予め形成された孔２９とを一致させて、ネジおよびナット（図示しない）によりユニット取付装置３０を鉛直方向アングル２０に固定する。次いで、ユニット取付装置３０の垂直延長部３２に形成された孔３９を介してネジによりユニット５０（図示しない）を固定する。
【００２１】
図４は本発明の実施形態に基づくユニット取付装置をネジ４５およびナット４６により鉛直方向アングル２０に固定したキャビネットラックの断面図である。図４においては点線で示すユニット５０がキャビネットラック１００の後面１９側においては鉛直方向アングル２０によって、および前面１８側においてはユニット取付装置３０を介して鉛直方向アングル２０によってキャビネットラック１００内に固定されている。従って、図４に示すように、鉛直方向アングル２０の幅方向面２１とユニット取付装置３０の垂直延長部３２との間の距離ａだけユニット５０を後面１９側に取付けることができる。また、奥行の長いユニット６０（図４には図示しない）は図４の二対の鉛直方向アングル２０の幅方向面に固定される。これにより、奥行の短いユニット５０と奥行の長いユニット６０とをキャビネットラック１００内に混載して取付けることができる。従って、特定の鉛直方向アングル、例えば後面１９側の一対の鉛直方向アングル２０が過度の負荷により破損するのを妨げることができる。さらに、ユニット５０の前面に端子またはケーブル５５などが設けられている場合（図１を参照されたい）であっても、このようにユニット５０を取付けることにより、キャビネットの扉（図示しない）が端子またはケーブル５５などにより邪魔されることなしにキャビネットの扉を閉鎖することができる。
【００２２】
前述したように、本発明の実施形態に基づくユニット取付装置３０は係止部３３を備えている。図３および図４に示すように、この係止部３３は鉛直方向アングル２０の奥行方向面に設けられる角部に係合してユニット取付装置３０の固定作用を高めることができる。
【００２３】
当然のことながら鉛直方向アングル２０にユニット取付装置３０を組み付けたキャビネットラックも本発明の範囲に含まれる。また、本発明の実施形態における固定作用は例えばネジ４５およびナット４６を用いて孔を介するネジ留め作用であるが、他の固定作用、例えば接着作用を採用することもできる。さらに、ユニット取付装置３０がプレート部３１がプレート状である必要はなく、プレート部３１がキャビネットラック１００の奥行方向に所定の長さを有していれば足りる。さらに、本発明のユニット取付装置３０を用いてユニット５０を前面１８側または後面１９側の鉛直方向アングル２０に取付けることもできる。
【００２４】
【発明の効果】
各請求項に記載の発明によれば、ユニットをキャビネットラックの奥行方向、例えば後方にずらして位置決めでき、前面に端子などを備えたユニットを取付ける場合にはキャビネットラックを内部に含むキャビネットの扉を容易に閉鎖できると共に、奥行が異なっていて比較的重量のある複数のユニットを取付ける場合に、奥行の短いユニットもユニット取付装置を介して二対の鉛直方向アングルに固定することができるという共通の効果を奏しうる。
【００２５】
さらに、請求項２および請求項５に記載の発明によれば、ユニットをユニット取付装置に容易に固定することができるという効果を奏しうる。
さらに、請求項３および請求項６に記載の発明によれば、一つのユニット取付装置によって複数のユニットを取付けることができるという効果を奏しうる。
【図面の簡単な説明】
【図１】本発明の実施形態に基づくユニット取付装置を組み入れたキャビネットラックの斜視図である。
【図２】本発明の実施形態に基づくユニット取付装置の斜視図である。
【図３】本発明の実施形態に基づくユニット取付装置をキャビネットラックの鉛直方向アングルに組み付けた状態を示す斜視図である。
【図４】本発明の実施形態に基づくユニット取付装置をネジおよびナットにより鉛直方向アングルに固定したキャビネットラックの断面図である。
【図５】従来技術におけるキャビネットラックの斜視図である。
【図６】従来技術におけるキャビネットラックの鉛直方向アングルの斜視図である。
【図７】従来技術におけるキャビネットラックの断面図である。
【符号の説明】
１２…枠体
１３…横材
１４…桁材
１５…直立材
１８…前面
１９…後面
２０…鉛直方向アングル
２１…幅方向面
２２…奥行方向面
２５…孔
２８…孔
２９…孔
３０…ユニット取付装置
３１…プレート部
３２…垂直延長部
３３…係止部
３８…固定部分
３９…固定部分
４４…ネジ
４５…ネジ
４６…ナット
５０…ユニット
５１…ユニット前面
５５…ケーブル
６０…ユニット
１００…キャビネットラック
【図１】
0003836034.tif 000002
【図２】
0003836034.tif 000003
【図３】
0003836034.tif 000004
【図４】
0003836034.tif 000005
【図５】
0003836034.tif 000006
【図６】
0003836034.tif 000007
【図７】
0003836034.tif 000008